(57)【特許請求の範囲】
【請求項１】
単数または複数の第１端子、及び、当該単数または複数の第１端子を支持する第１ハウジングを有する第１コネクタと、
前記単数または複数の第１端子に対して電気的に接続される単数または複数の第２端子、及び、当該単数または複数の第２端子を支持する第２ハウジングを有する第２コネクタと、
前記第１ハウジングと前記第２ハウジングとの分離を抑止するように、前記第１ハウジングを弾性的に挟んで支持する掛け止め金具と、を備え、
前記第１ハウジングには、筒状の嵌入部が形成されると共に、第２ハウジングには、前記第１コネクタと前記第２コネクタとが接続された接続状態において前記嵌入部が嵌入される嵌入受け部が形成されており、
前記第１コネクタと前記第２コネクタとが接続される方向である接続方向に沿って見たときに、前記嵌入部の外面部、及び、前記嵌入受け部の内面部の一方には、複数のリブ部が、前記嵌入部または前記嵌入受け部の中心部を中心とした放射方向に沿って突出形成されていると共に、他方には、前記接続状態において前記複数のリブ部が嵌り込む複数の凹部が形成されており、
前記複数のリブ部には、前記嵌入部の外面部または前記嵌入受け部の内面部において、前記接続方向に沿って見たときに、前記中心部を挟んで対向する位置に配置された二つの前記リブ部が含まれており、
前記第２ハウジングには、可撓性接続部を介して片持ち状に一体化されたカバー部が形成されており、前記掛け止め金具を前記第２ハウジングに取り付けた状態で前記カバー部が前記可撓性接続部を中心にして曲げ倒されると、前記掛け止め金具が前記カバー部で覆われることを特徴とする電気コネクタ装置。
【請求項２】
前記カバー部の前記第２ハウジング側にはカバー溝部が形成されており、前記掛け止め金具を前記第２ハウジングに取り付けた状態で前記カバー部が前記可撓性接続部を中心にして曲げ倒されると、前記掛け止め金具が前記カバー部で覆われると共に前記掛け止め金具の一部が前記カバー溝部に収められることを特徴とする請求項１に記載の電気コネクタ装置。
【請求項３】
前記嵌入部は、四角筒状に形成されており、
前記嵌入部の外面部に形成された前記複数のリブ部、または、前記複数の凹部には、前記嵌入部の角部分に配置された、二、三若しくは四つの前記リブ部、または、二、三若しくは四つの前記凹部が含まれることを特徴とする請求項１又は２に記載の電気コネクタ装置。
【請求項４】
前記嵌入部は、円筒状に形成されており、
前記嵌入部の外面部に形成された前記複数のリブ部、または、前記複数の凹部には、前記嵌入部の外面部において、前記接続方向に沿って見たときに、円周方向に沿って等間隔で配置された、二、三若しくは四つの前記リブ部、または、二、三若しくは四つの前記凹部が含まれることを特徴とする請求項１又は２に記載の電気コネクタ装置。
【請求項５】
互いに接続される一対のコネクタの一方において用いられる、掛け止め金具付きコネクタハウジングであって、
相手側コネクタの単数または複数の相手側端子に対して電気的に接続される単数または複数のコネクタ端子を支持するために用いられ、相手側コネクタの相手側ハウジングに対して接続される本体部と、
前記本体部と前記相手側ハウジングとの分離を抑止するように、前記相手側ハウジングを弾性的に挟んで支持する掛け止め金具と、を備え、
前記本体部には、前記一対のコネクタが接続された接続状態において、前記相手側ハウジングに形成された筒状の嵌入部が嵌入される、嵌入受け部が形成されており、
前記一対のコネクタが接続される方向である接続方向に沿って見たときに、前記嵌入受け部の内面部には、前記嵌入部の中心部を中心とした放射方向に沿って突出形成された複数のリブ部、及び、前記放射方向に沿って形成された複数の凹部の少なくともいずれか一方が形成されており、
前記複数のリブ部または前記複数の凹部には、前記嵌入受け部の内面部において、前記接続方向に沿って見たときに、前記中心部を挟んで対向する位置に配置された二つの前記リブ部または二つの前記凹部が含まれており、
前記本体部には、可撓性接続部を介して片持ち状に一体化されたカバー部が形成されており、前記掛け止め金具を前記本体部に取り付けた状態で前記カバー部が前記可撓性接続部を中心にして曲げ倒されると、前記掛け止め金具が前記カバー部で覆われることを特徴とする、掛け止め金具付きコネクタハウジング。
【請求項６】
前記カバー部の前記本体部側にはカバー溝部が形成されており、前記掛け止め金具を前記本体部に取り付けた状態で前記カバー部が前記可撓性接続部を中心にして曲げ倒されると、前記掛け止め金具が前記カバー部で覆われると共に前記掛け止め金具の一部が前記カバー溝部内に収められることを特徴とする請求項５に記載の掛け止め金具付きコネクタハウジング。
【請求項７】
前記嵌入部は、四角筒状に形成されたものであり、
前記嵌入受け部の内面部に形成された前記複数のリブ部、または、前記複数の凹部には、前記接続状態における前記嵌入部の角部分に相当する位置に配置された、二、三若しくは四つの前記リブ部、または、二、三若しくは四つの前記凹部が含まれることを特徴とする請求項５又は６に記載の掛け止め金具付きコネクタハウジング。
【請求項８】
前記嵌入部は、円筒状に形成されたものであり、
前記嵌入受け部の内面部に形成された前記複数のリブ部、または、前記複数の凹部には、前記嵌入受け部の内面部において、前記接続方向に沿って見たときに、円周方向に沿って等間隔で配置された、二、三若しくは四つの前記リブ部、または、二、三若しくは四つの前記凹部が含まれることを特徴とする請求項５又は６に記載の掛け止め金具付きコネクタハウジング。 
【発明の詳細な説明】
【技術分野】
【０００１】
本発明は、振動による影響を低減できる掛け止め金具付きコネクタハウジング及び電気コネクタ装置に関する。
【背景技術】
【０００２】
従来の電気コネクタの一例が特許文献１に開示されている。特許文献１の電気コネクタにおいては、メスハウジングの案内溝に掛け止め金具が保持された状態で、掛け止め金具はメスハウジングおよびオスハウジングが嵌合する方向にプリロードを作用させた状態となる。そして、メスハウジングにオスハウジングを嵌挿し、嵌合させることにより、掛け止め金具のバネ部分に設けられた掛止部がオスハウジングの誘導溝を介して固定溝と嵌合する。この構成により、過酷な環境下においても電気的導通を失わずに簡易にかつ容易に接続可能な電気コネクタが得られる。
【０００３】
【特許文献１】特開２００６−２０２５５７号公報
【発明の開示】
【発明が解決しようとする課題】
【０００４】
特許文献１に記載された電気コネクタにおいては、掛け止め金具により、メスハウジングとオスハウジングとの分離が抑止される。そして、このような電気コネクタが車両等に取り付けられる場合には、電気コネクタに対してエンジン等からの振動が作用する。この場合に、もし、両ハウジング間に隙間がある状態で電気コネクタが接続されていると、振動に伴って各ハウジングががたつくために、掛け止め金具が取り付けられていても、両ハウジングが分離し、電気コネクタの接続が外れてしまうことが考えられる。また、振動に伴って各ハウジングががたつくことによって、ハウジングが磨耗により損傷を受ける可能性がある。
【０００５】
このような振動による悪影響を低減するためには、例えば、掛け止め金具による弾性的支持力（バネの力）を強化することが考えられる。しかし、この場合には、掛け止め金具を太くしたり、その形状を変更したりする必要があり、電気コネクタ全体としての大型化、複雑化の原因となる。一方、掛け止め金具は簡易に構成されることが望ましい。
【０００６】
特許文献１に記載されている電気コネクタにおいては、振動対策として、オスハウジングに複数のリブが設けられており、メスハウジングには、このリブと当接するように設けられたスリットが形成されている。具体的には、四角柱筒形状に形成されたオスハウジングの四つの側面において、その中央部に、リブが一つずつ形成され、そのうちの一つの側面の両端部においては、さらに二つのリブが形成されている（図４（ａ）参照）。そして、各面に形成されたリブは、各面の法線方向に沿って突出するように形成されている。ハウジングにこのような複数のリブを形成し、相手側ハウジングに形成されたスリットにリブが嵌め込まれることにより、両ハウジング間の隙間が小さくなるので、各ハウジングががたつくことが少なくなり、電気コネクタの接続がより確実なものとなる。
【０００７】
一方で、リブの数が多くなるほど、電気コネクタが大型化してその重量が増加し、電気コネクタが振動の影響を受けやすくなるため、電気コネクタの構成としては、リブの数ができるだけ少なく、簡易なものであることが望ましい。
【０００８】
そこで、本発明の目的は、簡易な構成でありながら、振動による影響を低減して接続状態を維持できる掛け止め金具付きコネクタハウジング及び電気コネクタ装置を提供することである。
【課題を解決するための手段及び効果】
【０００９】
上記の目的を達成するために、本発明に係る電気コネクタ装置は、単数または複数の第１端子、及び、当該単数または複数の第１端子を支持する第１ハウジングを有する第１コネクタと、前記単数または複数の第１端子に対して電気的に接続される単数または複数の第２端子、及び、当該単数または複数の第２端子を支持する第２ハウジングを有する第２コネクタと、前記第１ハウジングと前記第２ハウジングとの分離を抑止するように、前記第１ハウジングを弾性的に挟んで支持する掛け止め金具と、を備え、前記第１ハウジングには、筒状の嵌入部が形成されると共に、第２ハウジングには、前記第１コネクタと前記第２コネクタとが接続された接続状態において前記嵌入部が嵌入される嵌入受け部が形成されており、前記第１コネクタと前記第２コネクタとが接続される方向である接続方向に沿って見たときに、前記嵌入部の外面部、及び、前記嵌入受け部の内面部の一方には、複数のリブ部が、前記嵌入部または前記嵌入受け部の中心部を中心とした放射方向に沿って突出形成されていると共に、他方には、前記接続状態において前記複数のリブ部が嵌り込む複数の凹部が形成されており、
前記複数のリブ部には、前記嵌入部の外面部または前記嵌入受け部の内面部において、前記接続方向に沿って見たときに、前記中心部を挟んで対向する位置に配置された二つの前記リブ部が含まれており、
前記第２ハウジングには、可撓性接続部を介して片持ち状に一体化されたカバー部が形成されており、前記掛け止め金具を前記第２ハウジングに取り付けた状態で前記カバー部が前記可撓性接続部を中心にして曲げ倒されると、前記掛け止め金具が前記カバー部で覆われる。
また、前記カバー部の前記第２ハウジング側にはカバー溝部が形成されており、前記掛け止め金具を前記第２ハウジングに取り付けた状態で前記カバー部が前記可撓性接続部を中心にして曲げ倒されると、前記掛け止め金具が前記カバー部で覆われると共に前記掛け止め金具の一部が前記カバー溝部に収められることが好ましい。
【００１０】
この構成によると、第１ハウジングに筒状の嵌入部が形成されると共に、第２ハウジングには、嵌入受け部が形成されているので、第１ハウジングを第２ハウジングに対して挿入して接続することになる。また、掛け止め金具は、第１ハウジングと第２ハウジングとの分離を抑止するように作用する。そして、嵌入部の外面部、及び、嵌入受け部の内面部の一方に、複数のリブ部が突出形成されており、他方には、複数の凹部が形成されているので、リブ部が凹部に嵌り込むことにより、第１、第２ハウジングががたつくことなく接続される。そして、複数のリブ部は、放射方向に沿って突出しているために、接続方向に沿って見たときにおける、互いに垂直な二つの方向に関する振動を、一つのリブ部を用いて同時に抑制できる。また、複数のリブ部には、接続方向に沿って見たときに、嵌入部または嵌入受け部の中心部を挟んで対向する位置に配置された二つのリブ部が含まれる。このように、対向配置された二つのリブ部があれば、互いに垂直な二つの方向に関する振動を、最小限のリブ部の数により効率的に抑制することができる。以上により、簡易な構成でありながら、振動による影響を低減して接続状態を維持できる。そのため、電気コネクタ装置に振動が作用しても、接続が外れることや、磨耗により損傷を受けることが抑制される。
【００１１】
また、本発明の構成によると、上記のように、リブ部の数を最小限にできることにより、ハウジングとして軽量化でき、振動の悪影響を受け難くなる。そのため、比較的弾性的支持力が低い掛け止め金具を使用できることになる。
【００１２】
また、本発明にかかる電気コネクタ装置において、前記嵌入部は、四角筒状に形成されており、前記嵌入部の外面部に形成された前記複数のリブ部、または、前記複数の凹部には、前記嵌入部の角部分に配置された、二、三若しくは四つの前記リブ部、または、二、三若しくは四つの前記凹部が含まれていてもよい。これによると、ハウジングの形状及びリブ部（又は凹部）の配置を簡素なものとすることができる。
【００１３】
また、本発明にかかる電気コネクタ装置において、前記嵌入部は、円筒状に形成されており、前記嵌入部の外面部に形成された前記複数のリブ部、または、前記複数の凹部には、前記嵌入部の外面部において、前記接続方向に沿って見たときに、円周方向に沿って等間隔で配置された、二、三若しくは四つの前記リブ部、または、二、三若しくは四つの前記凹部が含まれていてもよい。これによると、ハウジングの形状及びリブ部（又は凹部）の配置を簡素なものとすることができる。
【００１４】
また、上記の目的を達成するために、本発明に係る掛け止め金具付きコネクタハウジングは、互いに接続される一対のコネクタの一方において用いられる、掛け止め金具付きコネクタハウジングであって、相手側コネクタの単数または複数の相手側端子に対して電気的に接続される単数または複数のコネクタ端子を支持するために用いられ、相手側コネクタの相手側ハウジングに対して接続される本体部と、前記本体部と前記相手側ハウジングとの分離を抑止するように、前記相手側ハウジングを弾性的に挟んで支持する掛け止め金具と、を備え、前記本体部には、前記一対のコネクタが接続された接続状態において、前記相手側ハウジングに形成された筒状の嵌入部が嵌入される、嵌入受け部が形成されており、前記一対のコネクタが接続される方向である接続方向に沿って見たときに、前記嵌入受け部の内面部には、前記嵌入部の中心部を中心とした放射方向に沿って突出形成された複数のリブ部、及び、前記放射方向に沿って形成された複数の凹部の少なくともいずれか一方が形成されており、前記複数のリブ部または前記複数の凹部には、前記嵌入受け部の内面部において、前記接続方向に沿って見たときに、前記中心部を挟んで対向する位置に配置された二つの前記リブ部または二つの前記凹部が含まれており、前記本体部には、可撓性接続部を介して片持ち状に一体化されたカバー部が形成されており、前記掛け止め金具を前記本体部に取り付けた状態で前記カバー部が前記可撓性接続部を中心にして曲げ倒されると、前記掛け止め金具が前記カバー部で覆われることを特徴とする。この構成によると、簡易な構成でありながら、振動による影響を低減して接続状態を維持できる。また、前記カバー部の前記本体部側にはカバー溝部が形成されており、前記掛け止め金具を前記本体部に取り付けた状態で前記カバー部が前記可撓性接続部を中心にして曲げ倒されると、前記掛け止め金具が前記カバー部で覆われると共に前記掛け止め金具の一部が前記カバー溝部内に収められることが好ましい。
【００１５】
また、本発明にかかる掛け止め金具付きコネクタハウジングにおいて、前記嵌入部は、四角筒状に形成されたものであり、前記嵌入受け部の内面部に形成された前記複数のリブ部、または、前記複数の凹部には、前記接続状態における前記嵌入部の角部分に相当する位置に配置された、二、三若しくは四つの前記リブ部、または、二、三若しくは四つの前記凹部が含まれていてもよい。これによると、ハウジングの形状及びリブ部（又は凹部）の配置を簡素なものとすることができる。
【００１６】
また、本発明にかかる掛け止め金具付きコネクタハウジングにおいて、前記嵌入部は、円筒状に形成されたものであり、前記嵌入受け部の内面部に形成された前記複数のリブ部、または、前記複数の凹部には、前記嵌入受け部の内面部において、前記接続方向に沿って見たときに、円周方向に沿って等間隔で配置された、二、三若しくは四つの前記リブ部、または、二、三若しくは四つの前記凹部が含まれていてもよい。これによると、ハウジングの形状及びリブ部（又は凹部）の配置を簡素なものとすることができる。
【発明を実施するための最良の形態】
【００２０】
以下、本発明の好適な実施形態について図面を参照しつつ説明する。以下においては、説明の便宜のために本発明の好適な実施形態例のみを示すが、これにより本発明を限定するものではない。
【００２１】
（全体構成について）
まず、本発明の第１実施形態に係る電気コネクタ装置の全体構成について説明する。図１は、本発明の第１実施形態に係る電気コネクタ装置の全体構成を示す側面視概略図である。図２は、図１の電気コネクタ装置の断面概略図である。図３は、図１の電気コネクタ装置の構成部品を示した分解斜視図である。図４は、図１の電気コネクタ装置の概略図であり、（ａ）は平面図、（ｂ）は正面図、（ｃ）は底面図を示す。図５は、図１の電気コネクタ装置の概略図であり、（ｄ）は右側面図、（ｅ）は背面図を示す。図６は、図１の第１ハウジングの概略図であり、（ａ）は平面図、（ｂ）は正面図、（ｃ）は底面図を示す。図７は、図１の第１ハウジングの概略図であり、（ｄ）は右側面図、（ｅ）は背面図を示す。図８は、図１の第２ハウジングの概略図であり、（ａ）は平面図、（ｂ）は正面図、（ｃ）は底面図を示す。図９は、図１の第２ハウジングの概略図であり、（ｄ）は右側面図、（ｅ）は背面図を示す。図１０は、図１の掛け止め金具５の概略図であり、（ａ）は平面図、（ｂ）は正面図、（ｃ）は右側面図を示す。図１１は、図１の第１ハウジングの拡大正面概略図である。なお、図２は、図４（ａ）のＡ−Ａ’矢視断面図に相当するものである。
【００２２】
電気コネクタ装置１は、自動車におけるエアバッグ衝突加速度センサへ電力を供給するための、機器用コネクタとして用いられるものであり、第１コネクタ２と、第２コネクタ４と、掛け止め金具５と、を含んで構成されている。そして、機器等（図示せず）に固定された第１コネクタ２に対して第２コネクタ４が接続されると、第１コネクタ２の第１端子２１と、第２コネクタ４の第２端子４１との間で、電気的な接続が達成される。その結果、機器等と電線６４とが電気的に接続されることになる。
【００２３】
電気コネクタ装置１においては、第２コネクタ４の第２ハウジング４２に取り付けられた掛け止め金具５が、第１コネクタ２の第１ハウジング２２と、第２コネクタ４の第２ハウジング４２と、の分離を阻止するように機能する。なお、本実施形態において、第１ハウジング２２、第２ハウジング４２に用いられる材料は、プラスチック（絶縁材料）である。なお、ここでは、二つの第１端子２１及び二つの第２コネクタ４を有する二極型コネクタについて説明するが、このようなものには限られず、第１端子（または第２端子）の数は、単数であっても三つ以上であってもよい（後述する第２、第３実施形態参照）。
【００２４】
（第１コネクタ）
まず、第１コネクタ２について説明する。第１コネクタ（相手側コネクタ）２は、二つの第１端子（相手側端子）２１、及び、当該二つの第１端子２１を支持する第１ハウジング（相手側ハウジング）２２等を有する。以下、各部の詳細について説明する。なお、図３において、矢印Ｂで示した方の範囲に含まれるのが、第１コネクタ２の構成部品である。
【００２５】
（第１ハウジング）
第１ハウジング２２は、筒状に形成された嵌入部２３と、ベース部２２ｆとを有して構成されている。嵌入部２３は、第１コネクタ２と第２コネクタ４とが接続された状態（以下、“接続状態”と記す。図１参照）において、後述する第２コネクタ４の嵌入受け部４３に対して嵌入される。また、本実施形態では、嵌入部２３は四角筒状に形成されている（図６（ｂ）、図１１参照）。また、ベース部２２ｆは、機器等に対して固定される。なお、嵌入部の形状は筒状であればよく、四角筒状には限られない（例えば、後述する第２実施形態参照）。
【００２６】
嵌入部２３には、四つのリブ部２４が形成されている。以下、当該リブ部２４の詳細について説明する。四つのリブ部２４は、一対のコネクタが接続される方向、すなわち、第１コネクタ２と第２コネクタ４とが接続される方向である接続方向（図１、３の方向Ｇ参照。以下、“接続方向”と記す）に沿って見たときに、嵌入部２３の外面部２３ｓにおいて、嵌入部２３の中心部２３ｃを中心とした放射方向（図１１の一点鎖線の方向参照）に沿って突出形成されている（図３、図６（ｂ）、図１１参照）。また、四つのリブ部２４は、嵌入部２３の根元側（ベース部２２ｆ側）に形成されている（図３、図６（ａ）、図６（ｃ）、図７（ｄ）参照）。なお、図１１に一点鎖線で示した放射方向は、無数に存在する放射方向の中から一実施態様として選択したものであり、放射方向はこのようなものには限られない。
【００２７】
リブ部２４についてさらに詳細に説明する。四角筒状（一断面において四角形状となっている筒状）に形成された嵌入部２３の外面部２３ｓに形成された四つのリブ部２４は、嵌入部２３の四つの角部分に配置されたものである（図３、図６（ｂ）、図１１参照）。また、四つのリブ部２４には、嵌入部２３の外面部２３ｓにおいて、接続方向に沿って見たときに、中心部２３ｃを挟んで対向する位置に配置された二つのリブ部２４が含まれる。図１１で説明すると、“中心部２３ｃを挟んで対向する位置に配置された二つのリブ部２４”とは、リブ部２４ａ及びリブ部２４ｄ（又は、リブ部２４ｂ及びリブ部２４ｃ）のことである。
【００２８】
上記の“中心部を挟んで対向する位置に配置された二つのリブ部”の配置に関しては、例えば、嵌入部の対角線の長さが最大となる位置において、この対角線の両端の二箇所に配置する、という観点で配置してもよい。本実施形態におけるリブ部２４は、この観点により配置されているともいえる。なお、リブ部の配置は、このような観点によるものには限定されない。
【００２９】
また、上記のように、複数のリブ部２４は、対向する二つのリブ部２４（本実施形態においては、リブ部２４ａ及びリブ部２４ｄ、又は、リブ部２４ｂ及びリブ部２４ｃ）を含んでいればよく、複数のリブ部にこれらが含まれている限り、リブ部の数は必ずしも四つでなくてもよい（後述する第１、第２変形例参照）。また、四角筒状に形成された嵌入部において、嵌入部の外面部に形成された複数のリブ部には、嵌入部の角部分に配置された、二つまたは三つのリブ部が含まれていてもよく、リブ部の数は必ずしも四つでなくてもよい（後述する第１、第２変形例参照）。
【００３０】
また、接続方向に沿って見たときに、嵌入部２３の外面部２３ｓには、嵌入部２３の中心部２３ｃを中心とした放射方向に沿って形成された四つの追加凹部２５が、中心部２３ｃへ向かって陥入形成されている（図３、図６（ｂ）、図１１参照）。また、四つの追加凹部２５は、嵌入部２３の外面部２３ｓの先端側に形成されている（図３、図６（ａ）、図６（ｃ）、図７（ｄ）参照）。
【００３１】
ここで、“放射方向に沿って形成”とは、中心部２３ｃからの放出方面に沿って形成されていることを示している。本実施形態においては、中心部２３ｃは一点で表わされるが、中心部は一点でなくてもよく、位置の異なる二点以上から成るものであってもよい。また、ある程度の広がりのある領域としてもよい。
【００３２】
また、第１ハウジング２２において、上記の“接続方向”を第１ハウジング２２に対して第２ハウジング４２を接続する方向とした場合において、当該接続方向に関して手前側（図３のＫ側参照）の端部には、一対の支持部５１の間の幅を広げるための一対の接続用傾斜面２２ｓが形成されている（図３、図６（ｂ）、図７（ｄ）参照）。
【００３３】
また、第１ハウジング２２の両側部には、一対の突出部２２ｘが突出形成されている（図３、図６、図７（ｄ）参照）。そして、一対の突出部２２ｘのそれぞれにおいて、接続方向に関して奥側（図６（ｃ）のＬ側参照）には、支持受け部２６として傾斜面が形成されている（図３、図６（ａ）、図６（ｃ）、図７（ｄ）参照）。さらに詳細には、支持受け部２６としての傾斜面は、その高さ（外面部２３ｓの外表面からの突出高さ）が、接続方向に関して奥側（図６（ｃ）の方向Ｇ及びＬ側参照）へいくに連れて低くなるように傾斜している。そして、接続状態において、掛け止め金具５の一対の支持部５１は、一対の支持受け部２６に対して密着しつつ引っ掛けられることになる。なお、本実施形態において、一対の突出部２２ｘ先端部同士の間の長さはＬ２となっており（図６（ｃ）参照）、さらに、本実施形態において、一対の支持受け部２６の、接続状態において一対の支持部５１が接触する部分（後述する）同士の間の長さは、Ｌ３となっている（図６（ａ）参照）。
【００３４】
嵌入部２３の両側部には、二つの突出部２２ｘに加えて、二つのガイド用突出部２２ｗが形成されている（図３、図６、図７参照）。嵌入部２３の両側部のそれぞれにおいて、ガイド用突出部２２ｗは、直線状に、接続方向に沿って突出形成されており、突出部２２ｘ及びガイド用突出部２２ｗは、接続方向に沿って配置されている。また、突出部２２ｘとガイド用突出部２２ｗとは連続せず、これらの間には溝が形成されている。また、この溝部分においては、側面凹部２７が陥入形成されている。
【００３５】
また、嵌入部２３の底部には、誤嵌合防止用のガイド用突出部２２ｖが形成されている（図３、図６、図７参照）。ガイド用突出部２２ｖもまた、直線状に、接続方向に沿って突出形成されている。
【００３６】
また、嵌入部２３の内部には、内部空間２３ｖが形成されている（図３、図６（ｂ）、図１１参照）。そして、内部空間２３ｖの奥側には、Ｔ字状の嵌合用凹部２２ｍが形成されている（図２、図６（ｂ）参照）。さらに、第１ハウジング２２には、二つの第１端子２１が挿入される二つの挿入孔２２ｈが形成されている（図２、図６、図７参照）。なお、図１１は、嵌合用凹部２２ｍ及び二つの挿入孔２２ｈを省略して示している。
【００３７】
（第１端子）
二つの第１端子２１は、接続状態において、二つの第２端子４１に対して電気的に接続されるものであり、棒状に形成されている（図２、図３参照）。第１端子２１の先端には、第２端子４１に対して接触する部分となる接触部２１ｓが形成されている。第１端子２１と第２端子４１との接続状態については、第２端子４１の説明において詳述する。
【００３８】
（第２コネクタ）
次に、第２コネクタ４について説明する。第２コネクタ（コネクタ）４は、第１コネクタ２に対して電気的に接続されるものであって、二つの第２端子（コネクタ端子）４１、及び、当該二つの第２端子４１を支持する第２ハウジング（コネクタハウジング）４２等を有する。以下、各部の詳細について説明する。なお、図３において、矢印Ｃで示した方の範囲に含まれるのが、掛け止め金具５を除き、第２コネクタ４の構成部品である。
【００３９】
（第２ハウジング）
第２ハウジング４２は、第１ハウジング２２に対して接続される本体部４２ｂを有する。本体部４２ｂは、二つの第２端子４１を支持するために用いられる。第２ハウジングの本体部４２ｂには、接続状態において嵌入部２３が嵌入される嵌入受け部４３が形成されている（図２、図９（ｅ）参照）。より詳細には、本体部４２ｂは四角筒状に形成されており（図９（ｅ）参照）、その内側に、嵌入受け部４３が形成されている。ここで、嵌入受け部４３は、本体部４２ｂの内部に形成された空間と、その周囲の内面部４３ｓとを含む。
【００４０】
また、嵌入受け部４３の内面部４３ｓには、四つの凹部４４が陥入形成されている（図９（ｅ）参照）。そして、接続状態においては、四つの凹部４４に、嵌入部２３の四つのリブ部２４が嵌り込むようになっている。以下、当該凹部４４の詳細について説明する。
【００４１】
四つの凹部４４は、接続方向に沿って見たときに、嵌入受け部４３の内面部４３ｓにおいて、嵌入受け部４３の中心部を中心とした放射方向に沿って陥入形成されている（図９（ｅ）参照）。また、四つの凹部４４は、嵌入受け部４３の先端側に形成されている。
【００４２】
凹部４４についてさらに詳細に説明する。四角筒状に形成された本体部４２ｂにおいて、嵌入受け部４３の内面部に形成された四つの凹部４４には、接続状態における嵌入部２３の角部分に相当する位置に配置された四つの凹部４４が含まれる（図９（ｅ）参照）。また、四つの凹部４４には、嵌入受け部４３の内面部４３ｓにおいて、接続方向に沿って見たときに、中心部を挟んで対向する位置に配置された二つの凹部４４が含まれている。なお、四角筒状に形成された嵌入受け部の内面部に形成された四つの凹部４４には、接続状態における嵌入部の角部分に相当する位置に配置された、二、三若しくは四つの凹部４４が含まれていればよく、凹部の数は、必ずしも四つでなくてもよい。
【００４３】
また、接続方向に沿って見たときに、嵌入受け部４３の内面部４３ｓには、嵌入受け部４３の中心部を中心とした放射方向に沿って形成された四つの追加リブ部４５が形成されている（図９（ｅ）参照）。また、四つの追加リブ部４５は、嵌入受け部４３の内面部４３ｓの奥側に形成されている。そして、四つの追加リブ部４５は、接続状態において、嵌入部２３に形成された四つの追加凹部２５に対して嵌るようになっている。
【００４４】
また、第２ハウジング４２の内側には、二つのガイド溝４２ｘが、直線状に、接続方向に沿って形成されている（図９（ｅ）参照）。二つのガイド溝４２ｘは、接続動作において、第１ハウジング２２の二つの突出部２２ｘ、及び、二つのガイド用突出部２２ｗが嵌り込むように、溝状に形成されたものである。また、第２ハウジング４２の内側には、ガイド溝４２ｖが、直線状に、接続方向に沿って形成されている（図９（ｅ）参照）。ガイド溝４２ｖは、接続動作において、第１ハウジング２２のガイド用突出部２２ｖが嵌り込むように溝状に形成されている。
【００４５】
第１コネクタ２に対して第２コネクタ４を接続する際に、接続が円滑に行なわれるようにするために、ガイド用突出部２２ｖとガイド溝４２ｖとの間に遊びが生じるように、ガイド溝４２ｖの幅は、ガイド用突出部２２ｖの幅に対して広めに設定されている。ガイド溝４２ｘについても同様に、ガイド溝４２ｘの幅は、突出部２２ｘ及びガイド用突出部２２ｗの幅に対して広めに設定されている。
【００４６】
電気コネクタ装置１においては、掛け止め金具５を第２ハウジング４２に対して取り付けるように構成されており、第２ハウジング４２には、掛け止め金具５が取り付けられる溝部４２ｄが形成されている。具体的には、第２ハウジング４２の本体部４２ｂの両側端部には、二つの側壁部４６が形成されており、溝部４２ｄは、当該二つの側壁部４６のそれぞれに形成されている。ここで、二つの側壁部４６における溝部４２ｄの深さは、掛け止め金具５の太さ（図１０（ｃ）のＷ１参照）よりも深い。そのため、図４（ａ）に示すように、電気コネクタ装置１においては、掛け止め金具５の最外部が、側壁部４６の表面よりも奥に入り込んだ位置にあり、これにより、掛け止め金具５に指で触れることが抑止される。なお、本実施形態において、二つの側壁部４６は、本体部４２ｂの一部であるとする。
【００４７】
また、第２ハウジング４２の本体部４２ｂにおいて、掛け止め金具５の取り付け方向（図１，３等の方向Ｈ参照。以下、“取り付け方向”と記す）に関して、溝部４２ｄの奥側（図１における下側）には、一対の解除用傾斜面４２ｐが形成されている（図１、図３、図５（ｄ）、図９（ｄ）参照）。
【００４８】
また、本実施形態においては、二つの側壁部４６のそれぞれが、本体部４２ｂの中間部４２ｙの上面よりも、取り付け方向に関して手前側に向かってさらに突出した突出先端部４６ｔを有して構成されている（図８（ｂ）参照）。しかし、側壁部の形状はこのようなものには限定されず、突出先端部４６ｔは形成されていなくてもよい。また、溝部は側壁部以外の位置に形成されていてもよい。
【００４９】
第２ハウジング４２には、掛け止め金具５を覆うカバー部４７が形成されている。カバー部４７は板状に形成されており、カバー部４７と本体部４２ｂとは、可撓性接続部４２ｃを介して、一体として成形されている（図１、図２、図３等参照）。また、カバー部４７は、本体部４２ｂに対して、片持ち状に一体化されている。
【００５０】
カバー部４７と本体部４２ｂと二つの突出先端部４６ｔとの間には、掛け止め金具用空間４２ｓが形成されており、掛け止め金具５の中間支持部５３は、この掛け止め金具用空間４２ｓへと収容される（図２、図４（ｂ）、図８（ｂ）参照）。また、カバー部４７の本体部４２ｂ側には、カバー溝部４７ｄが溝状に形成されており（図２、図３参照）、カバー部４７をカバー状態（図１、図２、図４、図５の状態）にすると、中間支持部５３はこのカバー溝部４７ｄに収まる（図２参照）。カバー部４７は、組み立て時には、図３に示すように、本体部４２ｂに対して立ち上がった倒立状態となっている。第２コネクタ４の組み立て時には、掛け止め金具５を取り付けた状態で、カバー部４７を可撓性接続部４２ｃを中心にして曲げ倒すことにより、掛け止め金具５がカバーされた“カバー状態”となる。カバー溝部４７ｄが形成され、この部分に掛け止め金具５が収まることで、第２コネクタ４が図１、図２における上下方向に関して大型化することを防止でき、コネクタを低背化できる。また、カバー部４７と掛け止め金具５との位置関係が安定化するので、後述するロック解除動作において、カバー部４７によって掛け止め金具５を確実に押し込むことができる。なお、カバー溝部４７ｄは形成されていなくてもよい。
【００５１】
また、カバー部４７は、本体部４２ｂのうち、一対の側壁部４６の間に挟まれた中間部４２ｙ（図３参照）に配置されている。すなわち、溝部４２ｄの形成されていない部分にカバー部４７が配置されている。なお、本実施形態において、本体部４２ｂの中間部４２ｙには溝部４２ｄが形成されていないが、この中間部において溝部が形成されていてもよい。
【００５２】
また、カバー部４７の先端の両側部には、二つのカバー突出部４７ｔが突出形成されている。一方、二つの側壁部４６のそれぞれにおいて、接続方向Ｇに関して手前側（図３のＫ側）には、突出受け部４２ｔが陥入形成されている。カバー状態においては、二つの突出受け部４２ｔのそれぞれに、二つのカバー突出部４７ｔのそれぞれが引っ掛けられる（図８（ｂ）参照）。このような構成により、カバー部４７が、元の倒立状態へ戻ることが抑止され、カバー状態を維持することができる。
【００５３】
また、本体部４２ｂの内部においては、後述するリテーナ６３と共に二つの第２端子４１を支持する端子保持部４２ｋが形成されている（図２、図９（ｅ）参照）。接続状態において、端子保持部４２ｋ及び二つの第２端子４１は、第１ハウジング２２の嵌入部２３の内部空間２３ｖへと挿入される。また、端子保持部４２ｋの先端側には、Ｔ字状の嵌合用凸部４２ｍが形成されている（図２、図９（ｅ）参照）。接続状態において、嵌合用凸部４２ｍは、第１ハウジング２２の嵌合用凹部２２ｍへと挿入される（図２参照）。
【００５４】
さらに、第２ハウジング４２の接続方向手前側には、二つの第２端子４１が挿入される二つの挿入孔４２ｈが形成されている（図２、図８（ｂ）、図９（ｅ）参照）。また、第２ハウジング４２の底部には、挿入孔４２ｊが形成されている（図８（ｃ）参照）。第２コネクタ４の組み立て時には、この挿入孔４２ｊを通して、後述するリテーナ６３を取り付ける。
【００５５】
（第２端子）
二つの第２端子４１は、二つの第１端子２１に対して電気的に接続されるものであり、それぞれが角筒状に形成されている（図２、図３参照）。より具体的には、図２に示すように、角筒状に形成された第２端子４１の内部には、第１端子２１の接触部２１ｓに対して接触する、板状の接触部４１ｓが形成されている。接触部４１ｓは、第２端子４１の角筒状外壁部と一体に形成されており、第１端子２１との接続時には、その付け根部分において弾性的に曲げ変形して、第１端子２１の接触部２１ｓを押さえ付けつつ、接触部２１ｓと接触する。また、それぞれの第２端子４１は、電線６４に対して接続されている。
【００５６】
また、本実施形態においては、電線６４に対して、シールカバー６５が取り付けられている（図２及び図３参照）。シールカバー６５は、第２ハウジング４２の挿入孔４２ｈに挿入され、これにより、第２コネクタ４の気密性及び水密性が確保される。
【００５７】
（掛け止め金具）
次に、掛け止め金具５について説明する。掛け止め金具５は、第１ハウジング２２と第２ハウジング４２との分離を抑止するためのものであり、一本の棒状部材を湾曲させて形成されている。より具体的には、掛け止め金具５は、第２ハウジング４２の本体部４２ｂに対して取り付けられ、第１ハウジング２２と、第２ハウジング４２の本体部４２ｂとの分離を抑止するように、第１ハウジング２２を弾性的に挟んで支持するものである。
【００５８】
掛け止め金具５は、直線状の中間支持部５３と、中間支持部５３の両端部から中間支持部５３に対して垂直に伸びる一対の垂下部５４と、一対の垂下部５４から内側方向へ湾曲しつつ伸びるように形成された一対の傾斜部５６と、その先に形成された湾曲部である一対の支持部５１と、その先において、外側方向へ伸びるように形成された一対の先端部５５と、を含んで形成されている（図１０（ｂ）参照）。本実施形態において、掛け止め金具５が第２コネクタ４に取り付けられていない無負荷の状態での、一対の支持部５１の間の距離をＬ１とする（図１０（ｂ）参照）。Ｌ３（図６（ａ）参照）の長さは、Ｌ１の長さより小さく、Ｌ２の長さは、Ｌ１の長さよりも大きい。すなわち、Ｌ１、Ｌ２及びＬ３の間には次のような関係が成立している。
Ｌ３＜Ｌ１＜Ｌ２      （１）
Ｌ１よりもＬ２が大きく、且つ、Ｌ３がＬ１よりも小さいために、接続動作に伴って弾性的に掛け止め金具５が元の状態に戻ることによりクリック感が得られる。また、Ｌ３よりもＬ１が大きいために、接続状態において、一対の支持受け部２６は、元の状態へ弾性的に戻ろうとする力の作用で、一対の支持部５１によって挟まれて支持されることになる。
【００５９】
そして、第１コネクタ２に対して第２コネクタ４が接続された接続状態では、掛け止め金具５は、第１ハウジング２２を一対の支持部５１において挟み、一対の支持部５１は、第１ハウジング２２に形成された一対の支持受け部２６に対して引っ掛けられることになる。すなわち、接続状態においては、掛け止め金具５は、突出部２２ｘによって、接続方向に関して手前側への離脱が防止される。
【００６０】
掛け止め金具５は、金具本体部５２（図１０（ｂ）の破線で囲まれた部分参照）において、同一平面上でその曲率が連続的に変化するように湾曲したＣ字形状を有している（図１０（ｂ）、並びに、図１０（ａ）及び図１０（ｃ）参照）。ここで、金具本体部５２は、一対の支持部５１の間の中間部から成る。そして、本実施形態において、金具本体部５２（すなわち、一対の支持部５１の間の中間部）は、中間支持部５３、一対の垂下部５４、及び、一対の傾斜部５６から成る。なお、掛け止め金具は、金具本体部において、同一平面上でその曲率が連続的に変化するように湾曲したＵ字形状を有していてもよい。
【００６１】
また、掛け止め金具５は、金具本体部５２において、同一平面上でその曲率が連続的に変化するように湾曲したＣ字形状を有しており、その径の太さを変えることのみによって、その弾性的支持力を任意に設定できるように構成されている。
【００６２】
また、掛け止め金具５は、接続方向に垂直な平面（図３の平面Ｊ参照）上に位置するように、当該接続方向に垂直な方向に沿って取り付けられている。すなわち、取り付け方向Ｈは、平面Ｊに対して平行である。
【００６３】
また、電気コネクタ装置１において、掛け止め金具５の径の太さ（図１０（ｃ）のＷ１参照）は、溝部４２ｄの幅の大きさ（図９（ｄ）のＷ２参照）以下となっている。すなわち、掛け止め金具５及び第２コネクタ４は、Ｗ１≦Ｗ２の関係を満たすように構成されている。
【００６４】
また、掛け止め金具において、耐久可能な最大重力加速度（コネクタの接続状態の維持を保証できる最大の重力加速度）と、Ｗ１との関係は、例えば、以下のようなものとなる。
Ｗ１：１．０[ｍｍ]      耐久可能な最大重力加速度：  ３００[Ｇ]
Ｗ１：１．２[ｍｍ]      耐久可能な最大重力加速度：１０００[Ｇ]
このように全体的な形状は変化させずに、Ｗ１のみを変化させることで、掛け止め金具によって耐えられる最大の重力加速度を調整することができる。例えば、当初、掛け止め金具のＷ１が１．０ｍｍであったとして、溝部の幅Ｗ２を１．２ｍｍとしておくことにより、もしコネクタの設置環境等が変化したとしても、最大で１０００Ｇの重力加速度に耐えられるような別の掛け止め金具を装着できる。
【００６５】
なお、本実施形態において、掛け止め金具５は、一対の支持部５１を含んで構成されているが、掛け止め金具は二対以上の支持部を有していてもよい。また、掛け止め金具は、第１ハウジング２２と第２ハウジングとの分離を抑止するものであればよく、掛け止め金具の形状は、本実施形態のようなものには限られない。例えば、掛け止め金具は、例えば、金具本体部において、同一平面上で曲率が連続的に変化するように湾曲していなくてもよく、立体的な構造であってもよい。また、金具本体部の形状は、Ｃ字形状及びＵ字形状には限定されず、例えば、Ｖ字状、Ｈ字状等であってもよい。また、掛け止め金具は、例えば、ハウジングをその内側から引っ掛けてロックするものであってもよい（後述する第４実施形態参照）。
【００６６】
（その他）
第２コネクタ４には、上記したものの他、シールリング６２及びリテーナ６３を含む。シールリング６２は、気密性、水密性を確保するための部材であり、リテーナ６３は、二つの第２端子４１を保持するための部材である。
【００６７】
（掛け止め金具付きコネクタハウジング）
次に、掛け止め金具付きコネクタハウジング３について説明する。掛け止め金具付きコネクタハウジング３は、第２ハウジング４２の本体部４２ｂと、掛け止め金具５と、を含んで構成される（図１、図２、図３参照）。本実施形態においては、掛け止め金具５及び第２ハウジング４２を組み合わせたものが、掛け止め金具付きコネクタハウジング３に相当する。なお、掛け止め金具付きコネクタハウジング３は、互いに接続される一対のコネクタの一方において用いられるものであればよく、本実施形態における掛け止め金具及び第１ハウジングを組み合わせたものであってもよい（後述する第４実施形態参照）。
【００６８】
（掛け止め金具付きコネクタ）
次に、掛け止め金具付きコネクタ７について説明する。掛け止め金具付きコネクタ７は、二つの第２端子４１と、第２ハウジング４２と、掛け止め金具５と、を含んで構成される（図１、図２参照）。すなわち、掛け止め金具付きコネクタ７は、掛け止め金具付きコネクタハウジング３と二つの第２端子４１とを含んで構成されている。
【００６９】
（接続時の動作について）
次に、電気コネクタ装置１の接続時の動作について説明する。最初の状態では第２コネクタ４に、掛け止め金具５が取り付けられた状態となっており、且つ、カバー状態となっている。そして、電気コネクタ装置１の接続時には、掛け止め金具５が取り付けられた第２コネクタ４を、第１コネクタ２に対して接続することになる。なお、電気コネクタ装置１の接続においては、例えば、第２コネクタ４の二つの側壁部４６を手で掴んで接続動作を行なう。第２ハウジング４２にはカバー部４７が形成されているので、カバー部４７に指が触れた状態で接続動作を行なったとしても、クリック感を阻害することがない。
【００７０】
まず、第１コネクタ２と第２コネクタ４が接続を開始する接続開始時の状態について説明する。接続開始時においては、電気コネクタ装置１の接続動作に伴って、接続用傾斜面２２ｓに対して、掛け止め金具５の先端部が接触し、この接続用傾斜面２２ｓと接触しつつ、一対の支持部５１の間が広げられる。この結果、第２コネクタ４が、第１コネクタ２の方向へ、引っ掛ることなく円滑に移動することになる。
【００７１】
また、この接続開始時において、ガイド用突出部２２ｖがガイド溝４２ｖに合うような向きで、第２コネクタ４を第１コネクタ２に対して接続することで、表裏逆の誤嵌合が防止される。
【００７２】
次に、接続動作中の状態について説明する。接続動作中においては、第１ハウジング２２のガイド用突出部２２ｖが、第２ハウジング４２のガイド溝４２ｖに嵌っており、また、第１ハウジング２２の二つの突出部２２ｘ、及び、二つのガイド用突出部２２ｗが、第２ハウジング４２の二つのガイド溝４２ｘに嵌っている状態となる。そのため、接続動作中においては、これらのガイド溝に沿って、すなわち接続方向に沿って、第２コネクタ４が、第１コネクタ２に対して押し込まれる。
【００７３】
また、電気コネクタ装置１の接続動作に伴い、支持部５１が、接続用傾斜面２２ｓ、及び、突出部２２ｘに対して接触しつつ、さらに奥へ押し込まれることで、掛け止め金具５は、一対の支持部５１の間の距離が大きくなるように変形する。ここで、一対の支持部５１が、突出部２２ｘの先端部に位置している状態においては、一対の支持部５１の間の距離は最大のＬ２となる。この状態から、さらに第２コネクタ４を押し込むと、一対の支持部５１は、一対の支持受け部２６としての傾斜面の方へ移動する。このときに、弾性変形していた掛け止め金具５が元の形状へ戻ろうとすることで、支持部５１は突出部２２ｘを超え、支持受け部２６としての傾斜面に沿って、中心部２３ｃの方へ移動する。
【００７４】
より詳細には、（Ａ）接続開始状態の直後から接続完了状態の直前までの状態において、一対の支持部５１の間の距離（この距離をＬｓとする）が、Ｌ１（図１０（ｂ）参照）よりも大きくなっており、且つ、（Ｂ）接続完了状態において、一対の支持部５１の間の距離（この距離をＬｅとする）がＬｓよりも小さくなる。すなわち、次のような関係が成立している。
Ｌ１＜Ｌｓ      （２）
Ｌｅ＜Ｌｓ      （３）
このため、一旦変形していた掛け止め金具５が弾性的に元の状態へ戻ることになるので、接続完了時にクリック感が得られる。特に、本実施形態においては、次のような関係が成立している。
Ｌｓ＝Ｌ２      （４）
【００７５】
以上のように、電気コネクタ装置１の接続動作に伴って、掛け止め金具５が一旦変形した後、弾性的に元の状態へ戻ることによって、クリック感が得られる。すなわち、支持部５１が、山なりの突出部２２ｘを超えたときに、弾性変形状態から元の状態へ戻ろうとする掛け止め金具５の動きが許容されることにより、クリック感が得られる。そして、このクリック感により、作業者は、一対のコネクタが正常に接続したことを確認できる。
【００７６】
次に、第１コネクタ２に対して第２コネクタ４が接続された接続状態について説明する。この状態では、嵌入部２３が嵌入受け部４３に嵌入され、一方で、端子保持部４２ｋ及び二つの第２端子４１は、第１ハウジング２２の嵌入部２３の内部空間２３ｖへと挿入される。この状態においては、一対のコネクタは互いに接続され、第１端子２１及び第２端子４１が電気的に接続される。
【００７７】
また、この接続状態において、嵌合用凸部４２ｍは、第１ハウジング２２の嵌合用凹部２２ｍへと挿入された状態になる。そして、嵌入部２３の四つのリブ部２４が四つの凹部４４に嵌り込み、且つ、四つの追加リブ部４５は、嵌入部２３に形成された四つの追加凹部２５に対して嵌り込む。
【００７８】
また、接続状態において、掛け止め金具５は、第１ハウジング２２を一対の支持部５１において挟み、一対の支持部５１は、第１ハウジング２２に形成された一対の支持受け部２６に対して引っ掛けられる。そして、第１ハウジング２２を弾性的に挟んで支持する掛け止め金具５が、一対のコネクタの分離を抑止する。この状態をロック状態とする。そして、接続状態においては、掛け止め金具５の一対の支持部５１のそれぞれは、支持受け部２６としての傾斜面に対して密着しつつ引っ掛けられることになる。また、接続状態において、一対の支持部５１は、突出部２２ｘの先端部と、外面部２３ｓの外表面との間の中間部において、支持受け部２６に対して引っ掛けられる。そして、掛け止め金具５は、接続方向に関して、突出部２２ｘの奥側に引っ掛けられることになる。そのため、第１ハウジング２２から、掛け止め金具５が、接続方向に関して手前側へ離脱することが防止される。
【００７９】
このように、第２コネクタ４に掛け止め金具５が取り付けられた状態で、第１コネクタ２と第２コネクタ４とが接続状態にあるときには、掛け止め金具５は、取り付け位置（一対の支持受け部２６に一対の支持部５１が引っ掛けられた位置）に位置することになる。以下、接続状態であって、且つ、掛け止め金具５が取り付け位置にある状態を、特に“接続完了状態”とする（図１、図２、図４、図５の状態）。
【００８０】
次に、第１コネクタ２と第２コネクタ４との分離動作について説明する。分離動作を行なうには、掛け止め金具５のロック状態を解除する必要がある。電気コネクタ装置１においては、掛け止め金具５が取り付け位置にあるときに、カバー部４７を指等で押すと、掛け止め金具５がさらに取り付け方向に関して奥側へ押し込まれ、一対の解除用傾斜面４２ｐと一対の支持部５１とが接触しつつ、一対の支持部５１が互いに外側へ広がり、ロック解除状態となる。電気コネクタ装置１においては、このようにして、掛け止め金具５によるロックを解除するロック解除動作を簡単に行なうことができる。
【００８１】
なお、本実施形態においては、支持受け部２６が突出部２２ｘの傾斜面として形成されているが、支持受け部は、本実施形態のようなものには限られない。支持受け部は、例えば、傾斜面ではなく、外面部２３ｓの表面に対して垂直に形成されていてもよい。また、突出部の奥側の面を支持受け部とするのではなく、ハウジング本体部に溝を形成し、その部分を支持受け部としてもよい。いずれにしても、上記の式（２）、（３）の関係を満たすように支持受け部を構成することにより、接続完了時にクリック感が得られる。
【００８２】
（効果）
次に、本実施形態に係る電気コネクタ装置１、及び、掛け止め金具付きコネクタハウジング３の効果について説明する。本実施形態に係る電気コネクタ装置１は、二つの第１端子２１、及び、当該二つの第１端子２１を支持する第１ハウジング２２を有する第１コネクタ２と、二つの第１端子２１に対して電気的に接続される二つの第２端子４１、及び、当該二つの第２端子４１を支持する第２ハウジング４２を有する第２コネクタ４と、第１ハウジング２２と第２ハウジング４２との分離を抑止する掛け止め金具５と、を備え、第１ハウジング２２には、筒状の嵌入部２３が形成されると共に、第２ハウジング４２には、第１コネクタ２と第２コネクタ４とが接続された接続状態において嵌入部２３が嵌入される嵌入受け部４３が形成されており、第１コネクタ２と第２コネクタ４とが接続される方向である接続方向に沿って見たときに、嵌入部２３の外面部２３ｓには、四つのリブ部２４が、嵌入部２３の中心部２３ｃを中心とした放射方向に沿って突出形成されていると共に、嵌入受け部４３の内面部４３ｓには、接続状態において四つのリブ部２４が嵌り込む四つの凹部４４が形成されており、四つのリブ部２４には、嵌入部２３の外面部２３ｓにおいて、接続方向に沿って見たときに、中心部２３ｃを挟んで対向する位置に配置された二つのリブ部２４が含まれる。
【００８３】
この構成によると、第１ハウジング２２に筒状の嵌入部２３が形成されると共に、第２ハウジング４２には、嵌入受け部４３が形成されているので、第１ハウジング２２を第２ハウジング４２に対して挿入して接続することになる。また、掛け止め金具５は、第１ハウジング２２と第２ハウジング４２との分離を抑止するように作用する。そして、嵌入部２３の外面部２３ｓに、四つのリブ部２４が突出形成されており、嵌入受け部４３の内面部４３ｓには、四つの凹部４４が形成されているので、リブ部２４が凹部４４に嵌り込むことにより、第１ハウジング２２、及び、第２ハウジング４２ががたつくことなく接続される。そして、四つのリブ部２４は、放射方向に沿って突出しているために、接続方向に沿って見たときにおける、互いに垂直な二つの方向に関する振動（例えば、図１１における縦揺れ及び横揺れ）を、一つのリブ部を用いて同時に抑制できる。また、四つのリブ部２４には、接続方向に沿って見たときに、嵌入部２３の中心部２３ｃを挟んで対向する位置に配置された二つのリブ部２４が含まれる。このように、対向配置された二つのリブ部２４があれば、互いに垂直な二つの方向に関する振動を、最小限のリブ部の数により効率的に抑制することができる。以上により、簡易な構成でありながら、振動による影響を低減して接続状態を維持できる。そのため、電気コネクタ装置に振動が作用しても、接続が外れることや、磨耗により損傷を受けることが抑制される。
【００８４】
また、本実施形態の構成によると、上記のように、リブ部の数を最小限にできることにより、ハウジングとして軽量化でき、振動の悪影響を受け難くなる。そのため、比較的弾性的支持力が低い掛け止め金具を使用できることになる。
【００８５】
また、本実施形態に係る電気コネクタ装置１においては、嵌入部２３は、四角筒状に形成されており、嵌入部２３の外面部２３ｓに形成された四つのリブ部２４には、嵌入部２３の角部分に配置された、四つのリブ部２４が含まれる。これにより、ハウジングの形状及びリブ部（又は凹部）の配置を簡素なものとすることができる。
【００８６】
また、本実施形態に係る掛け止め金具付きコネクタハウジング３は、互いに接続される一対のコネクタの一方において用いられる、掛け止め金具付きコネクタハウジングであって、第１コネクタ２の二つの第１端子２１に対して電気的に接続される二つの第２端子４１を支持するために用いられ、第１コネクタ２の第１ハウジング２２に対して接続される本体部４２ｂと、本体部４２ｂと第１ハウジング２２との分離を抑止する掛け止め金具５と、を備え、本体部４２ｂには、一対のコネクタが接続された接続状態において、第１ハウジング２２に形成された筒状の嵌入部２３が嵌入される、嵌入受け部４３が形成されており、一対のコネクタが接続される方向である接続方向に沿って見たときに、嵌入受け部４３の内面部４３ｓには、嵌入部２３の中心部２３ｃを中心とした放射方向に沿って突出形成された四つのリブ部２４が形成されており、四つのリブ部２４には、嵌入受け部４３の内面部４３ｓにおいて、接続方向に沿って見たときに、中心部２３ｃを挟んで対向する位置に配置された二つのリブ部が含まれている。この構成によると、簡易な構成でありながら、振動による影響を低減して接続状態を維持できる。
【００８７】
また、本実施形態に係る掛け止め金具付きコネクタハウジング３においては、嵌入部２３は、四角筒状に形成されたものであり、嵌入受け部４３の内面部４３ｓに形成された四つの凹部４４には、接続状態における嵌入部２３の角部分に相当する位置に配置された、四つの凹部４４が含まれる。これにより、ハウジングの形状及びリブ部（又は凹部）の配置を簡素なものとすることができる。
【００８８】
本実施形態に係る電気コネクタ装置１、及び、掛け止め金具付きコネクタハウジング３は、第１ハウジングの設置方向、及び、コネクタに作用する振動の方向がある程度定まっている環境で使用する場合に、特に有効となる。例えば、上下左右に関して、図１１に表わした状態で第１コネクタが設置されている場合に、振動方向が、主に、上下方向及び左右方向であるとする。このような場合に、図１１のように、嵌入部の角位置、すなわち、正面から見て、左上、右上、左下、右下位置に配置することで、上下方向及び左右方向の振動の影響を効率的に抑制できる。なお、本発明にかかる電気コネクタ装置は、第１ハウジングの配置方向、及び、振動方向が定まっていない場合であっても適用可能である。
【００８９】
また、上記のように、ガイド溝４２ｖとガイド用突出部２２ｖとの間、並びに、ガイド溝４２ｘと突出部２２ｘ及びガイド用突出部２２ｗとの間には遊びがある。しかし、リブ部２４、追加リブ部４５、凹部４４及び追加凹部２５が形成されており、これらが、ほとんど隙間が生じない程度に密着することにより、第１コネクタ２及び第２コネクタ４は、接続状態において、振動の影響を受け難くなる。
【００９０】
また、第１実施形態では、第１ハウジング２２にリブ部２４及び追加凹部２５が形成され、第２ハウジング４２に追加リブ部４５及び凹部４４が形成されている。すなわち、上記の第１実施形態では、第１ハウジング２２、及び、第２ハウジング４２の両方に、リブ部、及び、凹部が形成されているが、このような構成には限らず、追加リブ部、追加凹部はなくてもよい。
【００９１】
また、第１実施形態においては、嵌入部２３の外面部２３ｓに複数のリブ部２４が形成され、嵌入受け部４３の内面部４３ｓに複数の凹部４４が形成されているが、第１実施形態とは反対に、嵌入受け部の内面部に複数のリブ部が形成され、嵌入部の外面部に複数の凹部が形成されていてもよい。この場合には、複数のリブ部は、嵌入受け部の中心部を中心とした放射方向に沿って突出形成され、且つ、複数のリブ部には、嵌入受け部の内面部において、嵌入受け部の中心部を挟んで対向する位置に配置された二つのリブ部が含まれることになる。
【００９２】
（変形例）
次に、本発明の第１実施形態に係る電気コネクタ装置の変形例について、上記の実施形態と異なる部分を中心に説明する。なお、上記の実施形態と同様の部分については、図に同一の符号を付してその説明を省略する。図１２は、変形例にかかる第１ハウジングの概略図であり、（ａ）は第１変形例にかかる第１ハウジングの正面図、（ｂ）は第２変形例にかかる第１ハウジングの正面図を示す。
【００９３】
上記の実施形態では、嵌入部２３の外面部２３ｓに四つのリブ部２４が、嵌入受け部４３の内面部４３ｓに四つの凹部が形成されているが、リブ部及び凹部の数は複数であればよく、四つには限定されない。具体的には、第１変形例に係る嵌入部１２３のように、リブ部２４の数が二つのみであってもよいし、第２変形例に係る嵌入部２２３のように、リブ部２４の数が三つであってもよい。第１変形例及び第２変形例において、嵌入部の外面部に形成された複数のリブ部には、中心部２３ｃを挟んで対向する位置に配置された二つのリブ部２４ａ及びリブ部２４ｄ（図１１参照）が含まれている。
【００９４】
（第２実施形態）
次に、本発明の第２実施形態に係る電気コネクタ装置について、上記の実施形態と異なる部分を中心に説明する。なお、上記の実施形態と同様の部分については、図に同一の符号を付してその説明を省略する。また、本実施形態において、符号３０３、３０５、３２１、３２１ｓ、３２２、３２２ｆ、３２２ｓ、３２２ｖ、３２２ｗ、３２２ｘ、３２３、３２３ｓ、３２４、３２５、３２６、３４１、３４２、３４２ｈ、３４２ｔ、３４６、３４７、３４７ｄ、３４７ｔ、３６４、３６５を付した部分は、上記の実施形態において、符号３、５、２１、２１ｓ、２２、２２ｆ、２２ｓ、２２ｖ、２２ｗ、２２ｘ、２３、２３ｓ、２４、２５、２６、４１、４２、４２ｈ、４２ｔ、４６、４７、４７ｄ、４７ｔ、６４、６５を付した部分に対応し、これらと同様の機能を有するので、これらの説明については適宜省略する。図１３は、本発明の第２実施形態に係る電気コネクタ装置の構成部品を示した分解斜視図である。
【００９５】
本実施形態に係る電気コネクタ装置においては、第１ハウジング３２２の嵌入部３２３は円筒状に形成されている。そして、嵌入部３２３の外面部３２３ｓに形成された四つのリブ部３２４には、嵌入部３２３の外面部３２３ｓにおいて、接続方向に沿って見たときに、円周方向に沿って等間隔で配置された四つのリブ部３２４が含まれる。外面部３２３ｓに形成された四つの追加凹部３２５についても同様である。そして、図示しないが、第２ハウジング３４２の嵌入受け部は、嵌入部３２３を受け入れることができるように形成されている。具体的には、嵌入受け部の内面部には、四つのリブ部３２４が嵌り込む四つの凹部（図示は省略する）、及び、四つの追加凹部３２５に対して嵌り込む四つの追加リブ部（図示は省略する）が形成されている。
【００９６】
また、本実施形態に係る電気コネクタ装置は、第１端子３２１及び第２端子３４１の数がそれぞれ一つであり、一極型のコネクタとして構成されている。電気コネクタ装置及び掛け止め金具付きコネクタハウジングは、このように構成されていてもよい。なお、３６１はラバーブーツである。
【００９７】
本実施形態にかかる電気コネクタ装置３２１においては、嵌入部３２３は、円筒状に形成されており、嵌入部３２３の外面部３２３ｓに形成された四つのリブ部３２４には、嵌入部３２３の外面部３２３ｓにおいて、接続方向に沿って見たときに、円周方向に沿って等間隔で配置された四つのリブ部３２４が含まれる。これによると、ハウジングの形状及びリブ部の配置を簡素なものとすることができる。
【００９８】
また、本実施形態にかかる掛け止め金具付きコネクタハウジング３０３においては、嵌入部３２３は、円筒状に形成されたものであり、嵌入受け部の内面部に形成された四つの凹部には、嵌入受け部の内面部において、接続方向に沿って見たときに、円周方向に沿って等間隔で配置された四つの凹部が含まれる。これによると、ハウジングの形状及び凹部の配置を簡素なものとすることができる。
【００９９】
（第３実施形態）
次に、本発明の第３実施形態に係る電気コネクタ装置について、上記の実施形態と異なる部分を中心に説明する。なお、上記の実施形態と同様の部分については、図に同一の符号を付してその説明を省略する。また、本実施形態において、符号４０３、４０５、４２２、４２２ｆ、４２２ｓ、４２２ｖ、４２２ｗ、４２２ｘ、４２３、４２３ｓ、４２４、４２５、４２６、４４１、４４２、４４２ｈ、４４２ｔ、４４６、４４７、４４７ｄ、４４７ｔ、４６４、４６５を付した部分は、上記の実施形態において、符号３、５、２１、２１ｓ、２２、２２ｆ、２２ｓ、２２ｖ、２２ｗ、２２ｘ、２３、２３ｓ、２４、２５、２６、４１、４２、４２ｈ、４２ｔ、４６、４７、４７ｄ、４７ｔ、６４、６５を付した部分に対応し、これらと同様の機能を有するので、これらの説明については適宜省略する。図１４は、本発明の第３実施形態に係る電気コネクタ装置の構成部品を示した分解斜視図である。
【０１００】
本実施形態にかかる電気コネクタ装置においては、五つの第１端子２１及び第２端子４４１を有しており、五極型のコネクタとして構成されている。電気コネクタ装置は、このように構成されていてもよい。
【０１０１】
（第４実施形態）
次に、本発明の第４実施形態に係る電気コネクタ装置について、上記の実施形態と異なる部分を中心に説明する。なお、上記の実施形態と同様の部分については、図に同一の符号を付してその説明を省略する。また、本実施形態において、符号５０１、５０２、５０３、５０４、５０５、５２２、５２３を付した部分は、上記の実施形態において、符号１、２、３、４、５、２２、２３を付した部分に対応し、これらと同様の機能を有するので、これらの説明については適宜省略する。図１５は、本発明の第４実施形態に係る電気コネクタ装置を示す平面概略図である。
【０１０２】
本実施形態に係る電気コネクタ装置５０１においては、掛け止め金具５０５が第１ハウジング５２２に対して取り付けられ、第２ハウジング５４２には掛け止め金具が取り付けられていないこと等が、上記の第１実施形態とは異なる。そして、本実施形態においては、上記の実施形態とは異なり、掛け止め金具付きコネクタハウジング５０３は、第１ハウジング５２２の本体部５２２ｂと掛け止め金具５０５とを含んで構成されている。そして、第２ハウジング５４２の内側において、第２ハウジング５４２の内面部に形成された受け部（図示せず）に対して掛け止め金具５０５が引っ掛けられることにより、第１ハウジング５２２と第２ハウジング５４２との分離が抑止される。上記の実施形態では、接続動作に伴い、一旦広がった掛け止め金具５が縮んで元の形状に戻ろうとするが、本実施形態では、それとは逆に、一旦内側に縮んだ掛け止め金具５０５が広がって元の形状に戻ろうとし、この力の作用により第１ハウジング５２２と第２ハウジング５４２との分離が抑止されている。電気コネクタ装置は、このように構成されていてもよい。
【０１０３】
また、本実施形態にかかる掛け止め金具付きコネクタハウジング５０３は、互いに接続される一対のコネクタの一方において用いられるものであり、第２コネクタ（相手側コネクタ）５０４の二つの第２端子に対して接続される四つのコネクタ端子（相手側端子）を支持するために用いられ、第２コネクタの第２ハウジング（相手側ハウジング）５４２に対して接続される本体部５２２ｂと、本体部５２２ｂと第２ハウジング５４２との分離を抑止する掛け止め金具５０５と、を備えている。そして、一対のコネクタが接続された接続状態において、第２ハウジング５４２に形成された嵌入受け部に嵌入される、筒状の嵌入部５２３が本体部５２２ｂとして形成されており、一対のコネクタが接続される方向である接続方向に沿って見たときに、嵌入部５２３の外面部には、嵌入部５２３の中心部を中心とした放射方向に沿って突出形成された四つのリブ部２４が形成されており、これら四つのリブ部２４には、嵌入部５２３の外面部において、接続方向に沿って見たときに、中心部を挟んで対向する位置に配置された二つのリブ部２４が含まれている。この構成によると、簡易な構成でありながら、振動による影響を低減して接続状態を維持できる。
【０１０４】
また、本実施形態にかかる掛け止め金具付きコネクタハウジング５０３においては、嵌入部５２３は、四角筒状に形成されたものであり、四つのリブ部２４には、嵌入部５２３の角部分に配置された、四つのリブ部２４が含まれる。これによると、ハウジングの形状及びリブ部（又は凹部）の配置を簡素なものとすることができる。
【０１０５】
なお、嵌入部の形状はこのようなものには限られず、例えば、嵌入部は、円筒状に形成されたものであってもよい（嵌入部の形状に関しては、第２実施形態参照）。その場合において、複数のリブ部には、嵌入部の外面部において、接続方向に沿って見たときに、円周方向に沿って等間隔で配置された、二、三若しくは四つのリブ部が含まれていてもよい。このような構成によっても、ハウジングの形状及びリブ部（又は凹部）の配置を簡素なものとすることができる。なお、嵌入部の外面部に複数の凹部が形成され、且つ、嵌入受け部の内面部に複数のリブ部が形成されていてもよい。
【０１０６】
以上、本発明の実施形態について説明したが、本発明は上述の実施の形態に限られるものではなく、本発明の範囲内において様々に変更して実施することができる。
【０１０７】
例えば、上記の実施形態では、電気コネクタ装置が電力供給のための機器用コネクタとして用いられているが、電気的信号の送受信のための機器用コネクタとして用いられてもよい。また、電気コネクタ装置は、機器用以外の用途（例えば、中継用、基板用）に用いられてもよい。
【０１０８】
また、電気コネクタ装置は、固定された第１コネクタに第２コネクタを接続するようなものには限られず、固定された第２コネクタに対して第１コネクタを接続するようなものであってもよい。
【０１０９】
また、嵌入部の形状は、上記以外の形状であってもよい。例えば、嵌入部は、その断面が三角形、五角形等の多角形状となった筒状に形成されていてもよい。
【０１１０】
また、掛け止め金具は、互いに接続される一対のコネクタのうち、一方のコネクタのハウジングに取り付けられるものであればよい。
【０１１１】
また、上記の第１実施形態においては、カバー状態において、掛け止め金具５とカバー部４７とが接触しているが、これらが接触しないように構成されていてもよい。また、本実施形態のように、掛け止め金具５とカバー部４７とが接触する場合においては、後述するロック動作時のクリック感が得られるように、掛け止め金具５、並びに、カバー部４７及び本体部４２ｂの間には、掛け止め金具５の弾性変形状態からの回復変形を妨げずにそれを許容する程度の、遊び部分が必要となる。
【０１１２】
また、掛け止め金具は、金具本体部（図１０（ｂ）の、枠で囲まれた金具本体部５２参照）に関してのみ、Ｃ字状、又は、Ｕ字状に形成されていることが好ましく、その先端部分の形状に関してはどのようになっていてもよい。すなわち、図１６（ａ）、（ｂ）に示すように、掛け止め金具全体として、Ｃ字状、又は、Ｕ字状、といえないものであってもよい。なお、図１６（ａ）、（ｂ）において、符号６０５、６５２、６５５を付した部分は、上記の実施形態において、符号５、５２、５５を付した部分に対応し、符号７０５、７５２、７５５を付した部分は、上記の実施形態において、符号５、５２、５５を付した部分に対応する。
【０１１３】
また、接続用傾斜面２２ｓ、解除用傾斜面４２ｐはなくてもよい。また、ガイド用突出部２２ｗ、ガイド用突出部２２ｖ、ガイド溝４２ｘ、及びガイド溝４２ｖはなくてもよい。さらに、側面凹部２７、嵌合用凹部２２ｍ、嵌合用凸部４２ｍはなくてもよい。また、本実施形態における端子形状は一例であり、端子の形状は、本実施形態のようなものには限定されない。例えば、本実施形態とは逆に、第１端子に対して第２端子が挿入されるように構成されていてもよい。
【０１１４】
また、上記の実施形態において、掛け止め金具５は、一本の棒状部材を湾曲させて形成しているが、このようなものには限られず、例えば、板状部材を曲げて形成したものであってもよい。
【図面の簡単な説明】
【０１１５】
【図１】本発明の第１実施形態に係る電気コネクタ装置の全体構成を示す側面視概略図である。
【図２】図１の電気コネクタ装置の断面概略図である。
【図３】図１の電気コネクタ装置の構成部品を示した分解斜視図である。
【図４】図１の電気コネクタ装置の概略図であり、（ａ）は平面図、（ｂ）は正面図、（ｃ）は底面図を示す。
【図５】図１の電気コネクタ装置の概略図であり、（ｄ）は右側面図、（ｅ）は背面図を示す。
【図６】図１の第１ハウジングの概略図であり、（ａ）は平面図、（ｂ）は正面図、（ｃ）は底面図を示す。
【図７】図１の第１ハウジングの概略図であり、（ｄ）は右側面図、（ｅ）は背面図を示す。
【図８】図１の第２ハウジングの概略図であり、（ａ）は平面図、（ｂ）は正面図、（ｃ）は底面図を示す。
【図９】図１の第２ハウジングの概略図であり、（ｄ）は右側面図、（ｅ）は背面図を示す。
【図１０】図１の掛け止め金具５の概略図であり、（ａ）は平面図、（ｂ）は正面図、（ｃ）は右側面図を示す。
【図１１】図１の第１ハウジングの拡大正面概略図である。
【図１２】変形例にかかる第１ハウジングの概略図であり、（ａ）は第１変形例にかかる第１ハウジングの正面図、（ｂ）は第２変形例にかかる第１ハウジングの正面図を示す。
【図１３】本発明の第２実施形態に係る電気コネクタ装置の構成部品を示した分解斜視図である。
【図１４】本発明の第３実施形態に係る電気コネクタ装置の構成部品を示した分解斜視図である。
【図１５】本発明の第４実施形態に係る電気コネクタ装置を示す平面概略図である。
【図１６】変形例に係る掛け止め金具を示す正面概略図であり、（ａ）は第３変形例、（ｂ）は第４変形例を示す。
【符号の説明】
【０１１６】
１    電気コネクタ装置
２    第１コネクタ（相手側コネクタ）
２１    第１端子（相手側端子）
２１ｓ    接触部
２２    第１ハウジング（相手側ハウジング）
２２ｆ    ベース部
２２ｈ    挿入孔
２２ｍ    嵌合用凹部
２２ｓ    接続用傾斜面
２２ｖ    ガイド用突出部
２２ｗ    ガイド用突出部
２２ｘ    突出部
２３    嵌入部
２３ｃ    中心部
２３ｓ    外面部
２３ｖ    内部空間
２４    リブ部
２５    追加凹部
２６    支持受け部
２７    側面凹部
３    掛け止め金具付きコネクタハウジング
４    第２コネクタ（コネクタ）
４１    第２端子（コネクタ端子）
４１ｓ    接触部
４２    第２ハウジング（コネクタハウジング）
４２ｂ    本体部
４２ｃ    可撓性接続部
４２ｄ    溝部
４２ｈ    挿入孔
４２ｊ    挿入孔
４２ｋ    端子保持部
４２ｍ    嵌合用凸部
４２ｐ    解除用傾斜面
４２ｓ    掛け止め金具用空間
４２ｔ    突出受け部
４２ｖ    ガイド溝
４２ｘ    ガイド溝
４２ｙ    中間部
４３    嵌入受け部
４３ｓ    内面部
４４    凹部
４５    追加リブ部
４６    側壁部
４７    カバー部
４７ｄ    カバー溝部
４７ｔ    カバー突出部
５    掛け止め金具
５１    支持部
５２    金具本体部
５３    中間支持部
５４    垂下部
５５    先端部
５６    傾斜部
３６１    ラバーブーツ
６２    シールリング
６３    リテーナ
６４    電線
６５    シールカバー
７    掛け止め金具付きコネクタ
【図１】
0005005497.tif 000002
【図２】
0005005497.tif 000003
【図３】
0005005497.tif 000004
【図４】
0005005497.tif 000005
【図５】
0005005497.tif 000006
【図６】
0005005497.tif 000007
【図７】
0005005497.tif 000008
【図８】
0005005497.tif 000009
【図９】
0005005497.tif 000010
【図１０】
0005005497.tif 000011
【図１１】
0005005497.tif 000012
【図１２】
0005005497.tif 000013
【図１３】
0005005497.tif 000014
【図１４】
0005005497.tif 000015
【図１５】
0005005497.tif 000016
【図１６】
0005005497.tif 000017